(57)【特許請求の範囲】
【請求項１】
クリーナ液を付着して手書き面上の書込み内容を消去するライティングボード装置において、タンク内の汚れたクリーナ液を廃棄するとき、タンク内に凝集剤を入れてクリーナ液中に混入するインク成分を凝集し、それからろ過材でろ過しながら前記タンク内からクリーナ液を廃棄して後、残ったインク成分を前記ろ過材で包んで廃棄してなる、ライティングボード装置におけるクリーナ液の廃棄方法。
【請求項２】
前記タンクの開口を前記ろ過材で被って後、蓋をし、そののち該蓋の廃棄孔を通して前記ろ過材でろ過しながら前記タンク内からクリーナ液を廃棄してなる、請求項１に記載のライティングボード装置におけるクリーナ液の廃棄方法。
【請求項３】
前記凝集剤を、炭酸ナトリウム・酸化アルミニウム等の無機配合品でつくってなる、請求項１、または２に記載のライティングボード装置におけるクリーナ液の廃棄方法。
【発明の詳細な説明】
【０００１】
【発明の属する技術分野】
この発明は、マーカーペン等の筆記具を用いてシート状の記録媒体の手書き面に書込みを行う、会議等で用いる電子黒板装置、プレゼンテーションを行うときに用いるプレゼンテーション装置などのライティングボード装置に関する。特にそのようなライティングボード装置の中で、クリーナ液を付着して手書き面上の書込み内容を消去するライティングボード装置に適用することができる。詳しくは、そのクリーナ液を廃棄するときの廃棄方法に関する。
【０００２】
【従来の技術】
従来、電子黒板装置等のライティングボード装置では、シート状の記録媒体で手書き面を形成し、その手書き面上に、マーカーペン等の筆記具を用いて書込みを行っていた。
【０００３】
この種のライティングボード装置の中には、筆記具のインクとしてクリーナ液で消えるものを用い、手書き面上の書込み内容を消去するとき、タンク内のクリーナ液をクリーナ器へと供給し、そのクリーナ器で記録媒体上を走査して手書き面にクリーナ液を付着し、その手書き面上の書込み内容を消して後、使用後のクリーナ液を再びタンク内に戻すようにしたものがある。
【０００４】
【発明が解決しようとする課題】
ところが、このようなライティングボード装置では、長期の使用により、クリーナ液が徐々に汚れることから、汚れたクリーナ液を廃棄し、適宜新しいクリーナ液と交換する必要があった。しかし、汚れたクリーナ液をそのまま下水道に流すと、河川などの水質を汚染して環境を破壊する心配があった。
【０００５】
そこで、この発明の第１の目的は、クリーナ液を付着して手書き面上の書込み内容を消去するライティングボード装置において、環境破壊のおそれなく、クリーナ液の廃棄を簡単とすることにある。
【０００６】
この発明の第２の目的は、クリーナ液の廃棄時期を的確に検知してクリーナ液の廃棄を一層簡単とすることにある。
【０００７】
【課題を解決するための手段】
そのため、請求項１に記載の発明は、上記第１の目的を達成すべく、クリーナ液を付着して手書き面上の書込み内容を消去するライティングボード装置において、タンク内の汚れたクリーナ液を廃棄するとき、タンク内に凝集剤を入れてクリーナ液中に混入するインク成分を凝集し、それからろ過材でろ過しながらタンク内からクリーナ液を廃棄して後、残ったインク成分をろ過材で包んで廃棄してなる、ことを特徴とする。
【０００８】
請求項２に記載の発明は、上記第１の目的を達成すべく、請求項１に記載のライティングボード装置におけるクリーナ液の廃棄方法において、タンクの開口をろ過材で被って後、蓋をし、そののち該蓋の廃棄孔を通してろ過材でろ過しながらタンク内からクリーナ液を廃棄してなる、ことを特徴とする。
【０００９】
請求項３に記載の発明は、上記第１の目的を達成すべく、請求項１、または２に記載のライティングボード装置におけるクリーナ液の廃棄方法において、凝集剤を、炭酸ナトリウム・酸化アルミニウム等の無機配合品でつくってなる、ことを特徴とする。
【００１３】
【発明の実施の形態】
以下、図面を参照しつつ、この発明の実施の形態につき説明する。
図１には、ライティングボード装置の一例である電子黒板装置の概略構成を示す。図２には、その斜視図を示す。
【００１４】
図中符号１０は駆動ローラであり、１１はそれから一定間隔離して平行に設ける従動ローラである。それらのローラ１０・１１間には、エンドレスシート状の記録媒体１２を掛け回す。記録媒体１２の正面内側には、その記録媒体１２に裏当てするように裏板１３を設ける。また、従動ローラ１１の横には、記録媒体１２の外面と対面するように読取機構部１４を備える。
【００１５】
記録媒体１２の背面外側には、その記録媒体１２に、押し当て面１５ａを対向するようにクリーナ器１５を設ける。クリーナ器１５は、縦長で、押し当て面１５ａに縦長な開口１５ｂを有する凹溝１５ｃを内部に形成してなる。
【００１６】
そして、図示省略するが、読取機構部１４およびクリーナ器１５を含めて記録媒体１２の全体をケースで被い、そのケースの正面側に大きな表示窓を設けてそこから記録媒体１２の正面側を外部に臨ませ、そこを、マーカーペン等の筆記具を用いて書込みを行う手書き面とする。
【００１７】
さて、クリーナ器１５の裏側上端部には、内部の凹溝１５ｃに通ずる導入口１６を設ける。そして、その導入口１６には、送出チューブ１７の一端を接続する。送出チューブ１７は、途中に電磁弁１８を設けて、他端を貯蔵容器１９に接続する。
【００１８】
他方、クリーナ器１５の裏側下端部には、内部の凹溝１５ｃに通ずる排出口２０を設ける。そして、その排出口２０には、戻しチューブ２１の一端を接続する。戻しチューブ２１は、途中にポンプ２２を設けて、他端を貯蔵容器１９に接続する。
【００１９】
戻しチューブ２１の、クリーナ器１５とポンプ２２間には、吸上げ管２３の一端を連結する。吸上げ管２３は、途中に流量調整装置２４を設け、他端をタンク２５内に挿入する。その吸上げ管２３の他端は、タンク２５内の底部までのびている。
【００２０】
また、貯蔵容器１９の上部には、オーバーフロー管２６の一端を接続する。オーバーフロー管２６の他端は、タンク２５内に挿入し、そのタンク２５内の上部で止まっている。
【００２１】
タンク２５は、貯蔵容器１９よりはるかに大きな容器部２７と、その開口を被う蓋部２８と、その蓋部２８を外れないように容器部２７に掛け留める留め具２９とからなり、受皿３０上に載置してなる。
【００２２】
容器部２７内には、筆記具のインクと反応して手書き面上の書込み内容を消去するクリーナ液３１を収納する。クリーナ液３１は、図示例では水を主成分とし、それに抗菌剤と潤滑剤を添加してなる。
【００２３】
抗菌剤としては、防菌、防黴効果を有する、例えばサンアイゾール５０００（三愛石油株式会社製の抗菌剤）等、有機窒素硫黄系化合物・安息香酸エステル類等の活性成分をタルク粉末に塗布したものなどを用いる。
【００２４】
一方、潤滑剤としては、例えばＫＦ−９６−３００ＣＳ（信越化学工業株式会社製の潤滑油）等、シリコーン油などを用いる。
【００２５】
蓋部２８は、上述した吸上げ管２３およびオーバーフロー管２６が貫通する。また、蓋部２８には、液面が一定以下となったことを検知する液面検知センサ３２を取り付ける。液面検知センサ３２は、クリーナ液３１が導電性であることを利用し、先端がクリーナ液３１内にあるときはＯＮとなり、ないときはＯＦＦとなる電気回路を構成する。
【００２６】
そして、いま、このライティングボード装置を使用するときは、記録媒体１２の手書き面に、水で消えるインクを用いたマーカーペン等の筆記具を用いて書込みを行う。手書き面がいっぱいになったときには、不図示の送りボタンを押して駆動ローラ１０を回転し、従動ローラ１１を従動回転しながら記録媒体１２を搬送して記録媒体１２の新しい面を表示窓に臨ませる。
【００２７】
手書き面上に書き込んだ手書き内容を用紙にプリントするときは、不図示のコピーボタンを押して駆動ローラ１０を回転し、従動ローラ１１を従動回転しながら記録媒体１２を搬送するとともに、記録媒体１２上の手書き内容を読取機構部１４で読み取り、それを不図示のプリンタでプリントアウトする。
【００２８】
手書き内容を消去したいときには、不図示の消去ボタンを押して駆動ローラ１０を回転し、従動ローラ１１を従動回転しながら記録媒体１２を搬送する一方、ポンプ２２を駆動する。
【００２９】
そして、タンク２５内のクリーナ液３１を吸上げ管２３を通して吸い上げ、貯蔵容器１９内に入れるとともに、戻しチューブ２１を通してクリーナ器１５から空気を吸い込んで開口１５ｂを通して記録媒体１２を吸い付け、押し当て面１５ａを記録媒体１２に押し当てて記録媒体１２で開口１５ｂを塞ぐ。
【００３０】
これにより、貯蔵容器１９内から送出して送出チューブ１７に入れたクリーナ液３１を、途中電磁弁１８を通過して導入口１６からクリーナ器１５の凹溝１５ｃ内に入れ、その凹溝１５ｃ内を流れるクリーナ液３１で記録媒体１２の表面を吸着スクイズし、水を付着してインクを消し、記録媒体１２上に書き込んだ手書き内容を消去して後、インク成分を含んだクリーナ液３１を排出口２０から戻しチューブ２１に入れ、途中ポンプ２２内を通過して貯蔵容器１９内に戻す。
【００３１】
一方、貯蔵容器１９内でオーバーフローしたクリーナ液３１は、オーバーフロー管２６を通してタンク２５内に入る。
【００３２】
つまり、図示電子黒板装置では、ポンプ２２を駆動することにより、貯蔵容器１９内のクリーナ液３１を送出チューブ１７を通してクリーナ器１５に向けて送出するとともに、そのクリーナ器１５内のクリーナ液３１を戻しチューブ２１を通して貯蔵容器１９に戻す第１の循環路Ａを備える。
【００３３】
また、ポンプ２２を駆動することにより、タンク２５内のクリーナ液３１を吸上げ管２３を通して汲み上げ、ポンプ２２内を通過して貯蔵容器１９に補給するとともに、その貯蔵容器１９からオーバーフローしたクリーナ液３１をオーバーフロー管２６を通してタンク２５内に戻す第２の循環路Ｂを備えてなる。
【００３４】
ところで、図示例では、水を主成分とし、それに抗菌剤と潤滑剤を添加したクリーナ液３１を用いる。すなわち、抗菌剤を入れるから、長期間使用しても、水が腐るおそれがない。また、潤滑剤を加えるから、記録媒体１２に対するクリーナ器１５の滑りをよくし、記録媒体１２の送りトルクを軽減することができる。
【００３５】
さて、図示例で、活性成分をタルク粉末に塗布した抗菌剤は比重が水より重く、シリコーン油よりなる潤滑剤は比重が水より軽くなっている。そこで、タンク２５内では、抗菌剤は底に沈み、潤滑剤は水に浮いた状態にある。この状態でポンプ２２を駆動してクリーナ液３１が第１の循環路Ｂを循環すると、クリーナ液３１がタンク２５内に戻ったとき、タルク粉末はその表面にタンク２５内で水に浮いた状態にある潤滑剤を付着し、再びタンク２５の底に沈むこととなる。これにより、潤滑剤を常にクリーナ器１５へと供給することができる。
【００３６】
また、水の表面には潤滑剤が浮いた状態にあるから、潤滑剤で水の自然蒸発を妨げ、クリーナ液の交換頻度を低減することができる。
【００３７】
しかし、長期間使用すると、やはりクリーニング液３１中に混入するインク成分が多くなり、クリーナ液は汚れる。同時に、タンク２５内のクリーナ液は少しずつ減ってくる。そして、液面検知センサ３２の先端がクリーナ液中でなくなったときには、電気回路をＯＦＦとして、タンク２５内のクリーナ液の液面が一定以下となったことを不図示の報知手段により報知する。報知を受けたとき、クリーナ液の汚れがさほどひどくないときには、タンク２５内にクリーナ液を補充する。クリーナ液の汚れがひどいときには、クリーナ液を交換する。
【００３８】
クリーナ液を交換するときは、タンク２５の留め具２９の掛け留めを外して、吸上げ管２３および液面検知センサ３２とともに蓋部２８を外し、図３に示すように受皿３０上からタンク２５の容器部２７を取り出す。
【００３９】
そして、図４（Ａ）に示すように、炭酸ナトリウム・酸化アルミニウム等の無機配合品でつくった凝集剤４０を入れ、攪拌棒４１で攪拌する。すると、（Ｂ）に示すようにすぐにクリーニング液３１中に混入するインク成分４２が凝集し、やがて（Ｃ）に示すようにクリーナ液３１上に浮き上がってくる。
【００４０】
そこで、（Ｄ）に示すようにタンク２５の開口をろ過材４３で被い、その上に、別途用意した廃棄孔４４付き蓋４５を被せ、（Ｅ）に示すように留め具２９を掛け留めして蓋４５が外れないようにする。
【００４１】
そののち、（Ｆ）に示すように、廃棄孔４４を下側にしてタンク２５を傾け、廃棄孔４４を通してろ過材４３でろ過しながらタンク２５内からクリーナ液３１を流し４６に廃棄し、下水道に流す。そして、（Ｇ）に示すように、タンク２５を逆さにして廃棄孔４４からしっかりと水切りする。
【００４２】
それから、（Ｈ）に示すように留め具２９の掛け留めを外し、流し４６上に蓋４５を残した状態で容器部２７を取り去り、蓋４５上に、ろ過後の、凝集したインク成分４２を付着したろ過材４３を残す。
【００４３】
よって、（Ｉ）に示すように残ったインク成分４２をろ過材４３で包んで、（Ｊ）に示すようにごみ袋４７内に入れ、燃えるごみとして、例えばごみバケツ４８内に廃棄する。
【００４４】
なお、上述した図示例では、記録媒体１２をエンドレスシート状として横方向に搬送した。しかし、この発明を適用し得るライティングボード装置は、エンドレスに限らないことはいうまでもなく、また横方向に搬送する場合に限らず、縦方向に搬送する場合にも当然に適用することができる。もちろん、手書き面は、図示例のような表裏２面に限らず、１面でも、３面以上であってもよい。
【００４５】
【発明の効果】
したがって、この発明によれば、タンク内の汚れたクリーナ液を廃棄するとき、タンク内に凝集剤を入れてクリーナ液中に混入するインク成分を凝集し、それからろ過材でろ過しながらタンク内からクリーナ液を廃棄して後、残ったインク成分をろ過材で包んで廃棄するから、クリーナ液を付着して手書き面上の書込み内容を消去するライティングボード装置において、汚れたクリーナ液からインク成分を分離して廃棄することができ、環境破壊のおそれなく、クリーナ液の廃棄を簡単とすることができる。
【図面の簡単な説明】
【図１】ライティングボード装置の一例である電子黒板装置の概略構成図である。
【図２】その概略構成斜視図である。
【図３】その電子黒板装置において、クリーナ液を廃棄すべく受皿上からタンクを取り出した状態を示す説明構成図である。
【図４】（Ａ）ないし（Ｊ）はクリーナ液の廃棄の手順を示す説明図である。
【符号の説明】
２５  タンク
３１  クリーナ液
３２  液面検知センサ
４０  凝集剤
４１  攪拌棒
４２  インク成分
４３  ろ過材
４４  廃棄孔
４５  蓋
４６  流し
４７  ごみ袋
４８  ごみバケツ
【図１】
0004518684.tif 000002
【図２】
0004518684.tif 000003
【図３】
0004518684.tif 000004
【図４】
0004518684.tif 000005